(57)【要約】【課題】外装ケースと駆動部となる電磁石ユニットとの結合を重量増となることなく確実に行うことができる電磁接触器を提供する。【解決手段】固定接触子に対して可動接触子が接離可能に配置された接点装置１００と、該接点装置の可動接触子を可動する電磁石ユニット２００と、少なくとも前記電磁石ユニットを収納保持する外装ケース４００とを備え、前記外装ケース及び前記電磁石ユニットの何れか一方に係止凹部を形成し、他方に当該係止凹部に係止される係止凸部を形成している。【選択図】図５
2015018778.tif 000002
【特許請求の範囲】
【請求項１】
固定接触子に対して可動接触子が接離可能に配置された接点装置と、
該接点装置の可動接触子を可動する電磁石ユニットと、
少なくとも前記電磁石ユニットを収納保持する外装ケースとを備え、
前記外装ケース及び前記電磁石ユニットの何れか一方に係止凹部を形成し、他方に当該係止凹部に係止される係止凸部を形成した
ことを特徴とする電磁接触器。
【請求項２】
前記電磁石ユニットは、電磁石を構成する励磁コイルを囲む枠状の磁気ヨークを有し、該磁気ヨークの励磁コイルの外周面に沿う一対の側板部の前記外装ケースに対向する端部に前記係止凹部及び前記係止凸部の何れか一方を形成したことを特徴とする請求項１に記載の電磁接触器。
【請求項３】
前記一対の側板部は、下端側に形成された幅狭部と上端側に形成された幅広部とを有し、前記幅広部に前記係止凹部及び前記係止凸部の一方が形成されていることを特徴とする請求項２に記載の電磁接触器。
【請求項４】
前記外装ケースの底部と前記電磁石ユニットの底部との間に弾性体が介在されていることを特徴とする請求項１から３の何れか１項に記載の電磁接触器。
【請求項５】
前記弾性体は、前記外装ケースの底部に一体形成されていることを特徴とする請求項４に記載の電磁接触器。
【請求項６】
前記外装ケースは、前記電磁石ユニットを収容する下部ケースと、前記接点装置を収容する上部ケースとを備えていることを特徴とする請求項１から５の何れか１項に記載の電磁接触器。
【請求項７】
前記上部ケースは、前記下部ケースの上端を外方から挟持するように係合する係合板部を備えていることを特徴とする請求項６に記載の電磁接触器。
【発明の詳細な説明】
【技術分野】
【０００１】
本発明は、固定接触子に対して可動接触子が接離可能に配置された接点装置と、この接点装置の可動接触子を可動する電磁石ユニットとを備えた電磁接触器に関する。
【背景技術】
【０００２】
電流路の開閉を行う電磁接触器では、可動接触子を電磁石ユニットの励磁コイル及び可動プランジャで駆動するようにしている。すなわち、励磁コイルが非励磁状態であるときに、可動プランジャが復帰スプリングによって付勢されて、可動接触子が所定間隔を保って配置された一対の固定接触子から離間している釈放状態となる。この釈放状態から、励磁コイルを励磁することにより、可動プランジャが復帰スプリングに抗して可動されて、可動接触子が一対の固定接触子に接触して投入状態となる（例えば、特許文献１参照）。
【先行技術文献】
【特許文献】
【０００３】
【特許文献１】特許第３１０７２８８号公報
【発明の概要】
【発明が解決しようとする課題】
【０００４】
ところで、上記特許文献１に記載の従来例にあっては、封止接点部および駆動部を覆うハウジングを設け、このハウジングが駆動部を覆う上端を開放した箱状の下側ハウジングと、この下側ハウジングの上端に接合する封止接点部を覆う上側ハウジングとで構成されている。
ここで、駆動部は励磁コイルを囲むように例えば前後端面を開放した方形枠状のヨークを有し、この方形枠状のヨークの両側板部を下側ハウジングに収容され、封止接点部が上側ハウジングに固定接触子を上面から突出させて収容されている。
【０００５】
しかしながら、上記特許文献１に記載の従来例にあっては、ハウジング内に封止接点部および駆動部が収容されているが、ハウジングに大きな衝撃が加わった際に、上下のハウジングの接合部に全ての応力が生じ、接合が外れて封止接点部および駆動部が飛散してしまう可能性があるという未解決の課題がある。
また、ある周波数帯で振動がハウジングに加わると、封止接点部および駆動部や上側ハウジングおよび下側ハウジングの接合部で共振が発生し、この共振によって接合が外れて封止接点部および駆動部が飛散してしまう可能性があるという未解決の課題がある。
【０００６】
この未解決の課題を解決するために、少なくとも駆動部を収容する下側ハウジング内に接着剤や樹脂を封入することにより、駆動部と下側ハウジングとを一体化させることが考えられる。しかしながら、この場合には駆動部と下側ハウジングとの間に接着剤や樹脂を封入するので、製品重量が重くなると共に，製造コストが嵩み、さらに組み立て作業性が悪い等の新たな課題がある。
そこで、本発明は、上記従来例の未解決の課題に着目してなされたものであり、外装ケースと駆動部となる電磁石ユニットとの結合を重量増となることなく確実に行うことができる電磁接触器を提供することを目的としている。
【課題を解決するための手段】
【０００７】
上記目的を達成するために、本発明に係る電磁接触器の第１の態様は、固定接触子に対して可動接触子が接離可能に配置された接点装置と、該接点装置の可動接触子を可動する電磁石ユニットと、少なくとも前記電磁石ユニットを収納保持する外装ケースとを備え、前記外装ケース及び前記電磁石ユニットの何れか一方に係止凹部を形成し、他方に当該係止凹部に係止される係止凸部を形成している。
【０００８】
また、本発明に係る電磁接触器の第２の態様は、前記電磁石ユニットが、電磁石を構成する励磁コイルを囲む枠状の磁気ヨークを有し、該磁気ヨークの励磁コイルの外周面に沿う一対の側板部の前記外装ケースに対向する端部に前記係止凹部及び前記係止凸部の何れか一方が形成されている。
また、本発明に係る電磁接触器の第３の態様は、前記一対の側板部が、下端側に形成された幅狭部と上端側に形成された幅広部とで形成され、前記幅広部に前記係止凹部及び前記係止凸部の一方が形成されている。
【０００９】
また、本発明に係る電磁接触器の第４の態様は、前記外装ケースの底部と前記電磁石ユニットの底部との間に弾性体が介在されている。
また、本発明に係る電磁接触器の第５の態様は、前記弾性体が、前記外装ケースの底部に一体形成されている。
また、本発明に係る電磁接触器の第６の態様は、前記外装ケースは、前記電磁石ユニットを収容する下部ケースと、前記接点装置を収容する上部ケースとを備えている。
また、本発明に係る電磁接触器の第７の態様は、前記上部ケースが、前記下部ケースの上端を外方から挟持するように係合する係合板部を備えている。
【発明の効果】
【００１０】
本発明によれば、少なくとも比較的重量がある電磁石ユニットを外装ケースに電磁石ユニット及び外装ケースの何れか一方に形成した係止凹部に、他方に形成した係止凸部を係止させるので、外装ケースに大きな衝撃が加わった際や、共振が発生した場合でも電磁石ユニットが外装ケースから離脱することなく確実に保持することができる。
【図面の簡単な説明】
【００１１】
【図１】本発明に係る電磁接触器の一例を示す斜視図である。
【図２】本発明に係る電磁接触器の外装ケースを取り外した状態の斜視図である。
【図３】図１のＡ−Ａ線状の断面図である。
【図４】接点装置及び電磁石ユニットを一体化させた下部ケースとこれに装着する上部ケースとを示す断面図である。
【図５】電磁石ユニットを樹脂封止によって下部ケース部に一体化させる場合を示す参考図である。
【図６】本発明の変形例を示す接点装置及び電磁石ユニットを一体化させた下部ケースを示す断面図である。
【発明を実施するための形態】
【００１２】
以下、本発明の実施の形態について図面を伴って説明する。
図１は本発明に係る電磁接触器の第１の実施形態を示す斜視図、図２は外装ケースを取り外した状態の斜視図、図３は図１のＡ−Ａ線上の断面図である。
図中、１０は電磁接触器であり、この電磁接触器１０は図２に示すように接点機構を配置した接点装置１００と、この接点装置１００を駆動する電磁石ユニット２００とが一体化された電磁接触器本体３００と、この電磁接触器本体３００を覆う外装ケース４００とで構成されている。
【００１３】
電磁接触器本体３００を構成する接点装置１００の具体的構成は、図３に示すように、下端面を開放した接点収納ケース１０１を有する。この接点収納ケース１０１は、上下端面を開放した金属製の角筒体１０２と、この角筒体１０２の上端面を閉塞する例えばセラミックス製の天板１０３と、角筒体１０２の内周面に配設された上端を開放した有底角筒体１０４とで構成されている。
【００１４】
接点収納ケース１０１内には接点機構１０５が収納されている。この接点機構１０５は、左右一対の固定接触子１０６ａおよび１０６ｂと、これら固定接触子１０６ａおよび１０６ｂの接点に接離可能に配置された可動接触子１２０とを備えている。
左右一対の固定接触子１０６ａおよび１０６ｂのそれぞれは、所定間隔を保って左右対象に配置された断面Ｕ字状に形成された接点部１０７ａおよび１０７ｂと、これら接点部１０７ａおよび１０７ｂの上端に接合された外部接続端子１０８ａおよび１０８ｂとで構成されている。接点部１０７ａの下板部を除く側板部および上板部の内周面が絶縁カバー１０９ａおよび１０９ｂで覆われている。
【００１５】
可動接触子１２０は、後述する電磁石ユニット２００の可動プランジャ２１５に固定された連結軸１３１に支持された接点板部１２１を有し、この接点板部１２１の左右端部が固定接触子１０６ａおよび１０６ｂの接点部１０７ａおよび１０７ｂの上板部および下板部間に挿入されている。連結軸１３１は、上端に外方に突出するフランジ部１３１ａが形成されている。この連結軸１３１に下端側から接触スプリング１３２を挿通し、次いで可動接触子１２０の貫通孔１３３を挿通して、接触スプリング１３２の上端をフランジ部１３１ａに当接させこの接触スプリング１３２で所定の付勢力を得るように可動接触子１２０を例えばＣリング１３４によって位置決めする。
【００１６】
この可動接触子１２０は、釈放状態で、両端の接点部１２０ａと固定接触子１０６ａおよび１０６ｂの接点部１０７ａおよび１０７ｂとが所定間隔を保って離間した状態となる。また、可動接触子１２０は、投入位置で、両端下面に形成された接点部１２０ａが固定接触子１０６ａ及び１０６ｂの接点部１０７ａおよび１０７ｂの下板部１１８にある接点１１０ａに、接触スプリング１３２による所定の接触圧で接触するように設定されている。
【００１７】
電磁石ユニット２００は、図３に示すように、側面から見て扁平なＵ字形状の磁気ヨーク２０１を有し、この磁気ヨーク２０１の底板部２０１ａの中央部に円筒状補助ヨーク２０３が固定されている。この円筒状補助ヨーク２０３の外側にスプール２０４が配置されている。
このスプール２０４は、円筒状補助ヨーク２０３を挿通する中央円筒部２０５と、この中央円筒部２０５の下端部から半径方向外方に突出する下フランジ部２０６と、中央円筒部２０５の上端から半径方向外方に突出する上フランジ部２０７とで構成されている。そして、中央円筒部２０５、下フランジ部２０６及び上フランジ部２０７で構成される収納空間に励磁コイル２０８が巻装されている。
【００１８】
そして、磁気ヨーク２０１の開放端となる上端間に上部磁気ヨーク２１０が固定されている。この上部磁気ヨーク２１０は、中央部にスプール２０４の中央円筒部２０５に対向する貫通孔２１０ａが形成されている。
また、スプール２０４の中央円筒部２０５内に、底部と後述するキャップの底部との間に復帰スプリング２１４を配設した可動プランジャ２１５が上下に摺動可能に配設されている。この可動プランジャ２１５には、上部磁気ヨーク２１０から上方に突出する上端部に半径方向外方に突出する周鍔部２１６が形成されている。
【００１９】
さらに、上部磁気ヨーク２１０の上面に、例えば外形が方形で円形の貫通孔２２０ａを有して環状に形成された永久磁石２２０が可動プランジャ２１５の周鍔部２１６を囲むように固定されている。この永久磁石２２０は上下方向すなわち厚み方向に上端側を例えばＮ極とし、下端側をＳ極とするように着磁されている。
そして、永久磁石２２０の上端面に、永久磁石２２０と同一外形で可動プランジャ２１５の周鍔部２１６の外径より小さい内径の貫通孔２２４を有する補助ヨーク２２５が固定されている。この補助ヨーク２２５の下面に可動プランジャ２１５の周鍔部２１６が当接されている。
【００２０】
なお、永久磁石２２０の形状は上記に限定されるものではなく、円環状に形成することもでき、要は内周面が周鍔部２１６の形状に合わせた形状であれば外形は円形、多角形等の任意形状とすることができる。
また、可動プランジャ２１５の上端面には上述した可動接触子１２０を支持する連結軸１３１が螺着されている。
そして、可動プランジャ２１５が非磁性体製で有底筒状に形成されたキャップ２３０で覆われ、このキャップ２３０の開放端に半径方向外方に延長して形成されたフランジ部２３１が上部磁気ヨーク２１０の下面にシール接合されている。また、接点収納ケース１０１の角筒体１０２の底面が上部磁気ヨーク２１０の上面にシール接合されている。
【００２１】
これによって、接点装置１００と電磁石ユニット２００とが一体化されているとともに、接点収納ケース１０１及びキャップ２３０が上部磁気ヨーク２１０の貫通孔２１０ａを介して連通される気密室２４０が形成されている。そして、接点収納ケース１０１及びキャップ２３０で形成される気密室２４０内に水素ガス、窒素ガス、水素及び窒素の混合ガス、空気、ＳＦ６等のガスが封入されている。
【００２２】
また、磁気ヨーク２０１は、底板部２０１ａと、この底板部２０１ａの前後端部から上方に直角に折り曲げられた側板部２０１ｂおよび２０１ｃとで扁平なＵ状に形成されている。側板部２０１ｂおよび２０１ｃは、図２に示すように、底板部２０１ａに連接する幅狭部２０１ｄとこの幅狭部２０１ｄの上端に連接する幅狭部２０１ｄより幅広に形成された幅広部２０１ｅとで構成されている。
【００２３】
そして、幅広部２０１ｅの左右端面すなわち下部ケース４００ａの内周面に対向する端面にそれぞれ係止凹部２０１ｆが形成されている。この係止凹部２０１ｆは、図２及び図４に示すように、幅広部２０１ｅの下端部に近い位置に形成されている。係止凹部２０１ｆは、端面と直角な底辺部２０１ｇと、この底辺部２０１ｇの内側端から上方に延長する垂直辺部２０１ｈとこの垂直辺部２０１ｈから斜め上方に端部まで延長する傾斜辺部２０１ｉとで構成されている。
【００２４】
一方、外装ケース４００は、図２及び図４に示すように、電磁石ユニット２００を収容する上端を開放した下部ケース４００ａと、この下部ケース４００ａの上端に装着される上部ケース４００ｂとで構成されている。
下部ケース４００ａは、上端面を開放した有底角筒状に形成されている。この下部ケース４００ａには、少なくとも外面の前端面下部に図１に示すようにネジ挿通孔が下部ケース４００ａの長手方向に形成された取付用板部４０１が形成され、内周面には図４に示すように電磁石ユニット２００の磁気ヨーク２０１の側板部２０１ｂ及び２０１ｃの端面に対向する位置にそれぞれ係止凹部２０１ｆに係止される係止凸部４０２が形成されている。この係止凸部４０２は係止凹部２０１ｆの底辺部２０１ｇに係止される内周面から内方に直角に係止凹部２０１ｆの底辺部２０１ｇよりは短く突出する底辺部４０２ａと、この底辺部４０２ａの突出端から上方に係止凹部２０１ｆの垂直辺部２０１ｈより短く延長する垂直辺部４０２ｂと、この垂直辺部４０２ｂの上端から斜め上方に内周面まで延長する傾斜辺部４０２ｃとで構成されている。
【００２５】
また、下部ケース４００ａの底板部の上面には電磁石ユニット２００の磁気ヨーク２０１の底板部２０１ａの底面と接触するシート弾性体としての弾性シート４０３が配置されている。さらに、左右側板部４０４ａおよび４０４ｂの上端側における前後端部寄り位置に４つの係合孔４０５が形成されている。
そして、下部ケース４００ａの上方側から接点装置１００を一体化した電磁石ユニット２００を挿入すると、下部ケース４００ａの内周面に形成された左右一対の係止凸部４０２の傾斜辺部４０２ｃに電磁石ユニット２００の磁気ヨーク２０１における幅広部２０１ｅの下端面の角部が当接する。
この状態で、電磁石ユニット２００をさらに下方に押し込むと、磁気ヨーク２０１の幅広部２０１ｅの下端面が下方に移動するに従って下部ケース４００ａの側板部４０４ａ及び４０４ｂが図４において矢印Ｘで示すように外方に撓み、磁気ヨーク２０１の幅広部２０１ｅの下方への移動を許容する。
【００２６】
さらに、電磁石ユニット２００を下方に押し込むと、磁気ヨーク２０１の幅広部２０１ｅの角部が係止凸部４０２の垂直辺部４０２ｂに接触しながら下降する。その後、弾性シート４０３を弾性変形させながら、磁気ヨーク２０１の幅広部２０１ｅに形成した係止凹部２０１ｆの底辺部２０１ｇが係止凸部４０２の底辺部４０２ａに対向する位置となると、下部ケース４００ａの外方への弾性変形が解消されて係止凹部２０１ｆ内に係止凸部４０２が挿入される係合状態となる。この係合状態で、電磁石ユニット２００の下方への押圧を解除すると電磁石ユニット２００の磁気ヨーク２０１における底板部２０１ａが弾性シート４０３の弾性によって上方に付勢され、係止凹部２０１ｆの底辺部２０１ｇが係止凸部４０２の底辺部４０２ａに当接して電磁石ユニット２００の上方への移動が停止されて、係止状態となる。この係止状態では、電磁石ユニット２００の下部ケース４００ａからの上方への離脱が確実に阻止される。
【００２７】
一方、上部ケース４００ｂは、図４に示すように、下端面を開放した角筒状に形成され、上板部４１１ａには、接点装置１００の外部接続端子１０８ａおよび１０８ｂを外部に望ませる貫通孔４１２が形成され、左右側板部４１１ｂおよび４１１ｃには前後端部寄り位置にそれぞれ下方に突出する係合板部４１３が突出形成されている。この係合板部４１３は、図４に示すように、下端側の内面に内方に突出するフック部４１４が形成されている。
【００２８】
そして、上部ケース４００ｂを、図４に示すように、接点装置１００を一体化させた電磁石ユニット２００を嵌合固定した下部ケース４００ａに上方から装着する。このとき、接点装置１００の外部接続端子１０８ａおよび１０８ｂを、貫通孔４１２を通じて外部に突出させるとともに、係合板部４１３のフック部４１４を下部ケース４００ａの係合孔４０５に係合させることにより、上部ケース４００ｂを下部ケース４００ａに固定することができる。
【００２９】
次に、上記第１の実施形態の動作を説明する。
今、固定接触子１０６ａの接点部１０７ａに接続された外部接続端子１０８ａが例えば大電流を供給する電力供給源に接続され、固定接触子１０６ｂの接点部１０７ｂに接続された外部接続端子１０８ｂが負荷に接続されているものとする。
この状態で、電磁石ユニット２００における励磁コイル２０８が非励磁状態にあって、電磁石ユニット２００で可動プランジャ２１５を下降させる励磁力を発生していない釈放状態にあるものとする。この釈放状態では、可動プランジャ２１５が復帰スプリング２１４によって、上部磁気ヨーク２１０から離れる上方向に付勢される。これと同時に、永久磁石２２０の磁力による吸引力が補助ヨーク２２５に作用されて、可動プランジャ２１５の周鍔部２１６が吸引される。このため、可動プランジャ２１５の周鍔部２１６の上面が補助ヨーク２２５の下面に当接している。
【００３０】
この釈放状態から、電磁石ユニット２００の励磁コイル２０８を励磁すると、この電磁石ユニット２００で励磁力を発生させて、可動プランジャ２１５を復帰スプリング２１４の付勢力及び環状永久磁石２２０の吸引力に抗して下降させる。この可動プランジャ２１５の下降が、周鍔部２１６の下面が上部磁気ヨーク２１０の上面に当接することにより停止される。
このように、可動プランジャ２１５が下降することにより、可動プランジャ２１５に連結軸１３１を介して連結されている可動接触子１２０も下降し、その接点部１２０ａが固定接触子１０６ａ及び１０６ｂの接点１１０ａに接触スプリング１３２の接触圧で接触する。
【００３１】
このため、外部電力供給源の大電流が固定接触子１０６ａ、可動接触子１２０、及び固定接触子１０６ｂを通じて負荷に供給される閉極状態となる。
この接点機構の閉極状態から、負荷への電流供給を遮断する場合には、電磁石ユニット２００の励磁コイル２０８の励磁を停止する。
これによって、電磁石ユニット２００で可動プランジャ２１５を下方に移動させる励磁力がなくなることにより、可動プランジャ２１５が復帰スプリング２１４の付勢力によって上昇し、周鍔部２１６が補助ヨーク２２５に近づくに従って環状永久磁石２２０の吸引力が増加する。
【００３２】
この可動プランジャ２１５が上昇することにより、連結軸１３１を介して連結された可動接触子１２０が上昇する。これに応じて接触スプリング１３２で接触圧を与えている間は可動接触子１２０が固定接触子１０６ａ及び１０６ｂに接触している。その後、接触スプリング１３２の接触圧がなくなった時点で可動接触子１２０が固定接触子１０６ａ及び１０６ｂから上方に離間する開極状態となる。
【００３３】
この開極開始状態となると、固定接触子１０６ａ及び１０６ｂの接点１１０ａと可動接触子１２０の接点１２０ａとの間にアークが発生し、このアークによって電流の通電状態が継続される。このとき、固定接触子１０６ａ及び１０６ｂの接点部１０７ａ及び１０７ｂの上板部及び側板部を覆う絶縁カバー１０９ａ及び１０９ｂが装着されているので、アークを固定接触子１０６ａ及び１０６ｂの接点１１０ａと可動接触子１２０の接点１２０ａとの間のみに発生させることができる。このため、アークが固定接触子１０６ａ及び１０６ｂの接点部１０７ａ及び１０７ｂの上板部及び側板部上を動くことを確実に防止してアークの発生状態を安定させることができ、消弧性能を向上させることができる。しかも、固定接触子１０６ａ及び１０６ｂの接点部１０７ａ及び１０７ｂの上板部及び側板部の両側面も絶縁カバー１０９ａ及び１０９ｂで覆うことにより、アークの先端が短絡することも確実に防止することができる。
アークは固定接触子１０６ａ及び１０６ｂの接点部１０７ａ及び１０７ｂの左右両側に引き伸ばされて消弧される。
【００３４】
以上が電磁接触器１０の動作であるが、電磁接触器１０に外部から衝撃力が作用されたり、共振が発生したりして、電磁石ユニット２００に対して下部ケース４００ａから上方に抜け出す力が作用したものとする。
このとき、電磁石ユニット２００の磁気ヨーク２１０の側板部２０１ｂ及び２０１ｃにおける幅広部２０１ｅに形成された係止凹部２０１ｆに下部ケース４００ａの内周面に形成された係止凸部４０２が係止され、係止凹部２０１ｆの底辺部２０１ｇが係止凸部４０２の底辺部４０２ａに当接されている。
【００３５】
したがって、電磁石ユニット２００が下部ユニット４００ａから上方に離脱することを確実に阻止することができる。
しかも、この電磁石ユニット２００の下部ケース４００ａからの抜け出しを、電磁石ユニット２００の磁気ヨーク２０１に形成した係止凹部２０１ｆ内に下部ケース４００ａの内周面に突出形成した係止凸部４０２を係止させるだけで確実に防止することができる。したがって、抜け出し防止のために新たな部品を追加したり重量増となったりすることがなく、全体を小型且つ軽量化することができる。
【００３６】
さらに、下部ケース４００ａの底面に弾性シート４０３が配置され、この弾性シート４０３によって、電磁石ユニット２００が上方に付勢させて係止凹部２０１ｆの底辺部２０１ｇと下部ケース４００ａの係止凸部４０２の底辺部４０２ａとが確実に当接して下部ケース４００ａと電磁石ユニット２００との間にガタが生じることなく、下部ケース４００ａに伝達される振動によって異音を発生することを防止することができる。
【００３７】
さらに、下部ケース４００ａの上端に上部ケース４００ｂを装着したときに、上部ケース４００ｂに形成した係合板部４１３が下部ケース４００ａの外側に係合することから、この係合板部４１３によって、下部ケース４００ａの外側への撓みが抑制される。このため、下部ケース４００ａが外側へ撓むことにより、係止凸部４０２が係止凹部２０１ｆから外側に外れることを確実に防止することができる。
【００３８】
ちなみに、係止凹部２０１ｆ及び係止凸部４０２を設けない場合には、電磁石ユニット２００と下部ケース４００ａとを連結するために、図５に示すように、電磁石ユニット２００と下部ケース４００ａとの連結部に合成樹脂材や接着剤等の充填材４５０を充填する必要があり、この充填材４５０の充填に手間が掛かり、組み立て作業を効率良く行うことができないとともに、重量も増加することになり、小型化・軽量化を図ることができない。
【００３９】
しかしながら、本実施形態では、上述したように、電磁石ユニット２００に形成した係止凹部２０１ｆ内に下部ケース４００ａの係止凸部４０２に係止させるだけでよく、簡易な構成で電磁石ユニット２００と下部ケース４００ａとを強固に一体化することができる。
なお、上記実施形態においては、下部ケース４００ａの底面に弾性シート４０３を配置した場合について説明したが、これに限定されるものではなく、図６に示すように、下部ケース４００ａの底面に弾性を有し上に凸となる弾性湾曲部４６０を一体形成するようにしてもよく、要は電磁石ユニット２００を上方に付勢可能な弾性体を配置すればよいものである。
【００４０】
また、上記実施形態においては、接点装置１００及び電磁石ユニット２００について一例を説明したに過ぎず、接点装置１００及び電磁石ユニット２００の内部構成は任意の構成とすることができる。
また、上記実施形態においては、下部ケース４００ａの前後方向の下部側に取付用板部４０１が形成されて下部ケースが取付面に対して直角な方向に延長する場合について説明したが、これに限定されるものではなく、ネジ挿通孔が下部ケース４００ａの長手方向と直行する方向となるように形成するようにしてもよい。
【００４１】
また、上記実施形態においては、電磁石ユニット２００に係止凹部２０１ｆを形成し、下部ケース４００ａに係止凸部４０２を形成する場合について説明したが、これに限定されるものではなく、電磁石ユニット２００に係止凸部を形成し、下部ケース４００ａに係止凹部を形成するようにしてもよい。
また、上記実施形態においては、接点収納ケース１０１及びキャップ２３０で気密室２４０を構成し、この気密室２４０内にガスを封入する場合について説明したが、これに限定されるものではなく、遮断する電流が低い場合にはガス封入を省略するようにしてもよい。
【００４２】
また、上記第１及び第２の実施形態においては、外装ケース４００を下部ケース４００ａ及び上部ケース４００ｂで分割構成する場合について説明したが、これに限定されるものではなく、下部ケース４００ａと上部ケース４００ｂとを一体化して、上端面又は下端面を開放した角筒状に形成し、上端面又は下端面を閉塞する閉塞板部を設けるようにしてもよい。
【符号の説明】
【００４３】
１０…電磁接触器、１００…接点装置、１０１…接点収納ケース、１０６ａ，１０６ｂ…固定接触子、１０７ａ，１０７ｂ…接点部、１２０…可動接触子、２００…電磁石ユニット、２０１…磁気ヨーク、２０１ｆ…係止凹部、２０３…円筒状補助ヨーク、２０４…スプール、２０８…励磁コイル、２１０…上部磁気ヨーク、２１４…復帰スプリング、２１５…可動プランジャ、２２０…永久磁石、２２５…補助ヨーク、４００…外装ケース、４００ａ…下部ケース、４００ｂ…上部ケース、４０１…取付用板部、４０２…係止凸部
【図１】
2015018778.tif 000003
【図２】
2015018778.tif 000004
【図３】
2015018778.tif 000005
【図４】
2015018778.tif 000006
【図５】
2015018778.tif 000007
【図６】
2015018778.tif 000008